(57)【要約】【課題】  ピストンピンが止め輪溝の受圧側周壁部分を崩して、Ｃ形止め輪が止め輪溝から外れ出すことを無くす。このための構成を極めて簡単なものにする。【解決手段】  左右一対の各Ｃ形止め輪８の左右一対の止め輪操作爪１０の先端部分からピン端面圧え部１１を延出させる。各Ｃ形止め輪８の各ピン端面圧え部１１はＣ形止め輪８よりもピストンピン７側に偏倚させて、ピストンピン７の左右の各ピン端面９に弾圧接当させる。これとともに、各Ｃ形止め輪８は各ピン端面９との間に遊動許容隙間１２を空けて対面させる。  各Ｃ形止め輪８の左右一対の止め輪操作爪１０の両方の先端部分からそれぞれピン端面圧え部１１を延出させる。一方のピン端面圧え部１１はＣ形止め輪８よりもピストンピン７側に偏倚させるのに対して、他方のピン端面圧え部１１はＣ形止め輪８よりもピストンピン７側とは反対側に偏倚させた。【選択図】  図１
2005106085.tif 000002
【特許請求の範囲】
【請求項１】
エンジン用ピストン(１)の左右一対のピンボス(２)(２)の各ピン孔(３)(３)の外端寄り部分の孔内周面に沿って断面半円形の止め輪溝(４)(４)を形成し、
両ピンボス(２)(２)間にコンロッド(５)の小端部(６)を挿入し、左右一対の両ピン孔(３)(３)およびコンロッド小端部(６)に亙ってピストンピン(７)を挿入し、左右の各止め輪溝(４)(４)に断面円形の各Ｃ形止め輪(８)(８)を内嵌し、両Ｃ形止め輪(８)(８)でピストンピン(７)の左右の両ピン端面(９)(９)を受け止めることにより、このピストンピン(７)を両ピン孔(３)(３)に対して抜け止めするように構成し、
各Ｃ形止め輪(８)のＣ形両端部から左右一対の各止め輪操作爪(10)(10)をそのＣ形内に突入する形に曲げ込んで構成した、
エンジン用ピストンのピストンピンの抜け止め装置において、
前記各Ｃ形止め輪(８)の左右一対の止め輪操作爪(10)(10)のうちの少なくとも一方の先端部分からピン端面圧え部(11)を延出させ、各Ｃ形止め輪(８)(８)の各ピン端面圧え部(11)(11)はＣ形止め輪(８)(８)よりもピストンピン(７)側に偏倚させて、ピストンピン(７)の左右の各ピン端面(９)(９)に弾圧接当させるとともに、各Ｃ形止め輪(８)(８)は各ピン端面(９)(９)との間に遊動許容隙間(12)(12)を空けて対面させて構成した、
ことを特徴とするエンジン用ピストンのピストンピンの抜け止め装置。
【請求項２】
請求項１に記載のエンジン用ピストンのピストンピンの抜け止め装置において、
前記各Ｃ形止め輪(８)の左右一対の止め輪操作爪(10)(10)の両方の先端部分からそれぞれピン端面圧え部(11)(11)を延出させ、一方のピン端面圧え部(11)はＣ形止め輪(８)よりもピストンピン(７)側に偏倚させるのに対して、他方のピン端面圧え部(11)はＣ形止め輪(８)よりもピストンピン(７)側とは反対側に偏倚させて構成した、
ことを特徴とするエンジン用ピストンのピストンピンの抜け止め装置。
【請求項３】
請求項２に記載のエンジン用ピストンのピストンピンの抜け止め装置において、
前記左右一対の各ピン端面圧え部(11)(11)の先端の各ピン端面接当部(11a)(11a)は、前記ピストンピン(７)のピン端面(９)の周方向に沿う形に形成し、各ピン端面接当部(11a)(11a)はその全長に亙ってピン端面(９)に弾圧接当するように構成した、
ことを特徴とするエンジン用ピストンのピストンピンの抜け止め装置。
【請求項４】
請求項１に記載のエンジン用ピストンのピストンピンの抜け止め装置において、
前記各Ｃ形止め輪(８)の左右一対の止め輪操作爪(10)(10)のうちの一方の先端部分から前記ピン端面圧え部(11)を延出させ、このピン端面圧え部(11)の先端のピン端面接当部(11b)は、前記ピストンピン(７)のピン端面(９)の周方向に沿う形に形成するとともに、前記Ｃ形止め輪(８)の軸心を含む仮想平面(13)に対して交差する形に形成し、
このピン端面接当部(11b)の基端側部分(11c)と先端側部分(11d)とは互いに、Ｃ形止め輪(８)よりもピストンピン(７)に近づく側と遠ざかる側との相反する方向に偏倚させて構成した、
ことを特徴とするエンジン用ピストンのピストンピンの抜け止め装置。
【発明の詳細な説明】
【技術分野】
【０００１】
本発明は、エンジン用ピストンのピンボスのピン孔に挿入されたピストンピンをＣ形止め輪で抜け止めする、ピストンピンの抜け止め装置に関する。
【背景技術】
【０００２】
［  前提構成  ］
本発明のエンジン用ピストンのピストンピンの抜け止め装置は、例えば図１・図２（本発明）、または図５（従来技術）に示すように、次の前提構成を有するものを対象とする。
【０００３】
図１・図２は本発明のエンジン用ピストンのピストンピンの抜け止め装置の実施形態１を示す。図１（Ａ）はピストンピン用のＣ形止め輪の正面図、図１（Ｂ）は図１（Ａ）のＢ−Ｂ線断面図、図１（Ｃ）は図１（Ａ）のＣ−Ｃ線断面図である。図１（Ｄ）はピンボス内のピストンピンをＣ形止め輪で抜け止めしている状態を示す要部の縦断正面図である。  図２（Ａ）はピストンにコンロッドをピストンピンで接続した状態の縦断正面図、図２（Ｂ）は図２（Ａ）の右側面図である。
【０００４】
図５は従来技術のエンジン用ピストンのピストンピンの抜け止め装置を示す。図５（Ａ）はピストンピン用のＣ形止め輪の正面図、図５（Ｂ）は図５（Ａ）のＢ−Ｂ線断面図、図５（Ｃ）は図５（Ａ）のＣ−Ｃ線断面図である。図５（Ｄ）はピンボス内のピストンピンをＣ形止め輪で抜け止めしている状態を示す要部の縦断正面図である。
【０００５】
エンジン用ピストン(１)の左右一対のピンボス(２)(２)の各ピン孔(３)(３)の外端寄り部分の孔内周面に沿って断面半円形の止め輪溝(４)(４)を形成する。
【０００６】
両ピンボス(２)(２)間にコンロッド(５)の小端部(６)を挿入する。左右一対の両ピン孔(３)(３)およびコンロッド小端部(６)に亙ってピストンピン(７)を挿入する。左右の各止め輪溝(４)(４)に断面円形の各Ｃ形止め輪(８)(８)を内嵌する。両Ｃ形止め輪(８)(８)でピストンピン(７)の左右の両ピン端面(９)(９)を受け止めることにより、このピストンピン(７)を両ピン孔(３)(３)に対して抜け止めするように構成する。
【０００７】
各Ｃ形止め輪(８)のＣ形両端部から左右一対の各止め輪操作爪(10)(10)をそのＣ形内に突入する形に曲げ込んで構成したものである。
この両止め輪操作爪(10)(10)をラジオペンチで摘まんで互いに近づけ合うと、Ｃ形止め輪(８)の外径が小さくなる。この状態で、Ｃ形止め輪(８)をピン孔(３)に出し入れして、止め輪溝(４)に嵌合させたり離脱させたりすることができる。
【０００８】
［  従来の技術  ］
上記前提構成において、前記Ｃ形止め輪(８)の構成として、従来技術では図５に示すものがある。
【０００９】
図５は従来技術のエンジン用ピストンのピストンピンの抜け止め装置を示す。図５（Ａ）はピストンピン用のＣ形止め輪の正面図、図５（Ｂ）は図５（Ａ）のＢ−Ｂ線断面図、図５（Ｃ）は図５（Ａ）のＣ−Ｃ線断面図である。図５（Ｄ）はピンボス内のピストンピンをＣ形止め輪で抜け止めしている状態を示す要部の縦断正面図である。
【００１０】
この従来技術では、各Ｃ形止め輪(８)は、そのＣ形両端部から左右一対の各止め輪操作爪(10)(10)をそのＣ形内に突入する形に曲げ込んだだけの構成に止まっていた。
【００１１】
［  従来技術の問題点  ］
上記従来技術では、次の問題がある。
【００１２】
［  問題点イ．  エンジン運転に伴う衝撃力で自由往復振動させられているピストンピン(７)は、Ｃ形止め輪(８)に強い力で衝突し、このＣ形止め輪(８)を介して、止め輪溝(４)の受圧側周壁部分(4a)は衝撃的な過大な面圧で叩かれ続けて変形されて崩れだす。その結果、Ｃ形止め輪(８)が止め輪溝(４)から外れ出して、ピストンピン(７)がピン孔(３)外へとび出し、ピストンピン(７)がシリンダライナに摺擦して焼き付いたり、ピストンピン(７)がリンダライナを傷つけてブローバイガス量が異常増大したりする。  ］
【００１３】
周知のとおり、エンジンの運転中においては、ピストン(１)・ピストンピン(２)・コンロッド(５)間で、爆発圧力などによる衝撃力が高速度で激しく繰り返し作用し続ける。この高速度で激しく繰り返す衝撃力により、ピン孔(３)内でピストンピン(７)がその軸心方向へ自由往復振動させられ続ける。
【００１４】
上記従来技術ては、ピストンピン(７)のピン端面(９)がＣ形止め輪(８)に接当した状態で、ピストンピン(７)が上記のエンジン運転に伴う衝撃力でＣ形止め輪(８)に打ち付けられたときに、このＣ形止め輪(８)を受け止めている止め輪溝(４)の受圧側溝周壁部分(4a)が衝撃的な過大な面圧で、ハンマーで繰り返し叩かれるようにして、次第に変形されて行って崩れていく。
【００１５】
この受圧側溝周壁部分(4a)の変形・崩れだしは、Ｃ形止め輪(８)の両端の各止め輪操作爪(10)(10)の曲げ出し基部(21)において最も起こり易い。そして、Ｃ形止め輪(８)が止め輪溝(４)内で自由に回転することに伴って、前記の受圧側溝周壁部分(4a)の変形・崩れだしが、止め輪溝(４)の周方向に広がって行き、やがてこの受圧側溝周壁部分(4a)が崩れた止め輪溝(４)からＣ形止め輪(７)が外れ出してしまう。
【００１６】
すると、ピストンピン(７)がピン孔(３)外へとび出して、ピストンピン(７)がシリンダライナに摺擦して焼き付いたり、ピストンピン(７)がシリンダライナを傷つけてブローバイガス量が異常増大するという問題が発生する。
【００１７】
【特許文献１】特開平９−１３３２１２号公報
【発明の開示】
【発明が解決しようとする課題】
【００１８】
本発明の課題は、次のようにすることにある。
（イ）．  エンジン運転に伴う衝撃力で自由往復振動させられているピストンピンが、両ピン端面圧え部の弾圧力の抵抗を受けながら遊動許容隙間を空走してその移動力が弱まるようにすることにより、止め輪溝の受圧側周壁部分が変形されて崩れることが無くなる結果、Ｃ形止め輪が止め輪溝から外れ出すことが無くなるようにする。
【００１９】
（ロ）．  Ｃ形止め輪の止め輪操作爪の先端部からピン端面圧え部を延出させるだけで、上記課題（イ）を達成するための構成を極めて簡単なものにする。
（ハ）．  Ｃ形止め輪を止め輪溝に組み付けた状態では、必ずどちらかの止め輪操作爪がピストンピンを正常に圧えることにより、Ｃ形止め輪の組み付け間違いを無くす。
【００２０】
（ニ）．  ピン端面圧え部のピン端面接当部は、その全長に亙ってピン端面に弾圧接当することにより、長期に亙る使用においても塑性変形されにくくして耐久性に優れる。
（ホ）．  Ｃ形止め輪を止め輪溝に組み付けた状態では、必ずピン端面接当部の基端側部分または先端側部分がピストンピンを正常に圧えることにより、Ｃ形止め輪の組み付け間違いを無くす。
【課題を解決するための手段】
【００２１】
本発明のエンジン用ピストンのピストンピンの抜け止め装置は、上記前提構成において、上記課題を解決するために、例えば図１・図２、図３、または図４に示すように、次の特徴構成を追加したことを特徴とする。
【００２２】
図１・図２は本発明のエンジン用ピストンのピストンピンの抜け止め装置の実施形態１を示す。図１（Ａ）はピストンピン用のＣ形止め輪の正面図、図１（Ｂ）は図１（Ａ）のＢ−Ｂ線断面図、図１（Ｃ）は図１（Ａ）のＣ−Ｃ線断面図である。図１（Ｄ）はピンボス内のピストンピンをＣ形止め輪で抜け止めしている状態を示す要部の縦断正面図である。  図２（Ａ）はピストンにコンロッドをピストンピンで接続した状態の縦断正面図、図２（Ｂ）は図２（Ａ）の右側面図である。
【００２３】
図３は本発明のエンジン用ピストンのピストンピンの抜け止め装置の実施形態２を示す。図３（Ａ）はピストンピン用のＣ形止め輪の正面図、図３（Ｂ）は図３（Ａ）のＢ−Ｂ線断面図、図３（Ｃ）は図３（Ａ）のＣ−Ｃ線断面図である。図３（Ｄ）はピンボス内のピストンピンをＣ形止め輪で抜け止めしている状態を示す要部の縦断正面図である。
【００２４】
図４は本発明のエンジン用ピストンのピストンピンの抜け止め装置の実施形態３を示す。図４（Ａ）はピストンピン用のＣ形止め輪の正面図、図４（Ｂ）は図４（Ａ）のＢ−Ｂ線断面図、図４（Ｃ）は図４（Ａ）のＣ−Ｃ線断面図である。図４（Ｄ）はピンボス内のピストンピンをＣ形止め輪で抜け止めしている状態を示す要部の縦断正面図である。
【００２５】
○  請求項１の発明．  図１・図２、図３、または図４参照．
前記各Ｃ形止め輪(８)の左右一対の止め輪操作爪(10)(10)のうちの少なくとも一方の先端部分からピン端面圧え部(11)を延出させる。各Ｃ形止め輪(８)(８)の各ピン端面圧え部(11)(11)はＣ形止め輪(８)(８)よりもピストンピン(７)側に偏倚させて、ピストンピン(７)の左右の各ピン端面(９)(９)に弾圧接当させる。これとともに、各Ｃ形止め輪(８)(８)は各ピン端面(９)(９)との間に遊動許容隙間(12)(12)を空けて対面させて構成した、  ことを特徴とする。
【００２６】
○  請求項２の発明．  図１または図３参照．
請求項２の発明は、上記請求項１の発明において、次の特徴構成を追加したことを特徴とする。
【００２７】
前記各Ｃ形止め輪(８)の左右一対の止め輪操作爪(10)(10)の両方の先端部分からそれぞれピン端面圧え部(11)(11)を延出させる。一方のピン端面圧え部(11)はＣ形止め輪(８)よりもピストンピン(７)側に偏倚させる。これに対して、他方のピン端面圧え部(11)はＣ形止め輪(８)よりもピストンピン(７)側とは反対側に偏倚させて構成した、  ことを特徴とする。
【００２８】
○  請求項３の発明．  図１参照．
請求項３の発明は、上記請求項２の発明において、次の特徴構成を追加したことを特徴とする。
【００２９】
前記左右一対の各ピン端面圧え部(11)(11)の先端の各ピン端面接当部(11a)(11a)は、前記ピストンピン(７)のピン端面(９)の周方向に沿う形に形成する。各ピン端面接当部(11a)(11a)はその全長に亙ってピン端面(９)に弾圧接当するように構成した、  ことを特徴とする。
【００３０】
○  請求項４の発明．  図４参照．
請求項４の発明は、上記請求項１の発明において、次の特徴構成を追加したことを特徴とする。
【００３１】
前記各Ｃ形止め輪(８)の左右一対の止め輪操作爪(10)(10)のうちの一方の先端部分から前記ピン端面圧え部(11)を延出させる。このピン端面圧え部(11)の先端のピン端面接当部(11b)は、前記ピストンピン(７)のピン端面(９)の周方向に沿う形に形成するとともに、前記Ｃ形止め輪(８)の軸心を含む仮想平面(13)に対して交差する形に形成する。
【００３２】
このピン端面接当部(11b)の基端側部分(11c)と先端側部分(11d)とは互いに、Ｃ形止め輪(８)よりもピストンピン(７)に近づく側と遠ざかる側との相反する方向に偏倚させて構成した、  ことを特徴とする。
【発明の効果】
【００３３】
本発明のエンジン用ピストンのピストンピンの抜け止め装置は、次の効果を奏する。
○  請求項１の発明．  図１、図３、または図４参照．
【００３４】
［  効果イ．  エンジン運転に伴う衝撃力で自由往復振動させられているピストンピン(７)は、両ピン端面圧え部(11)(11)の弾圧力の抵抗を受けながら遊動許容隙間(12)(12)を空走してその移動力が弱められるため、このピストンピン(７)はＣ形止め輪(８)(８)に強い力では衝突しなくなり、止め輪溝(４)の受圧側周壁部分(4a)は衝撃的な過大な面圧で叩かれ続けることが無くなって変形されて崩れることが無くなる。その結果、Ｃ形止め輪(８)が止め輪溝(４)から外れ出すことが無くなり、ピストンピン(７)がピン孔(３)外へとび出して、ピストンピン(７)がシリンダライナに摺擦して焼き付いたり、ピストンピン(７)がシリンダライナを傷つけてブローバイガス量が異常増大したりするという従来技術の問題を、解消する。  ］
【００３５】
周知のとおり、エンジンの運転中においては、ピストン(１)・ピストンピン(２)・コンロッド(５)間で、爆発圧力などによる衝撃力が高速度で激しく繰り返し作用し続ける。この高速度で激しく繰り返す衝撃力により、ピン孔(３)内でピストンピン(７)がその軸心方向へ自由往復振動させられ続ける。
【００３６】
請求項１の発明は、つぎの特徴構成を有する。
前記各Ｃ形止め輪(８)の左右一対の止め輪操作爪(10)(10)のうちの少なくとも一方の先端部分からピン端面圧え部(11)を延出させる。各Ｃ形止め輪(８)(８)の各ピン端面圧え部(11)(11)はＣ形止め輪(８)(８)よりもピストンピン(７)側に偏倚させて、ピストンピン(７)の左右の各ピン端面(９)(９)に弾圧接当させる。これとともに、各Ｃ形止め輪(８)(８)は各ピン端面(９)(９)との間に遊動許容隙間(12)(12)を空けて対面させて構成した。
【００３７】
この特徴構成から、ピストンピン(７)が左右の両Ｃ形止め輪(８)(８)の両ピン端面圧え部(11)(11)の弾圧力で左右から圧し付けられているため、このピストンピン(７)は左右の各Ｃ形止め輪(８)(８)に対して、遊動許容隙間(12)(12)を空けて離れた状態に弾圧保持され続けられる。
【００３８】
上記のエンジン運転に伴う衝撃力でピストンピン(７)が自由往復振動させられようとしている状態において、このピストンピン(７)は両ピン端面圧え部(11)(11)の弾圧力の抵抗を受けながら遊動許容隙間(12)(12)を空走してその移動力が弱められて行く。このため、このピストンピン(７)はＣ形止め輪(８)(８)に衝突しなくなり、または弱い力でしか衝突しなくなる。
【００３９】
これにより、止め輪溝(４)の受圧側周壁部分(4a)は衝撃的な過大な面圧で叩かれ続けることが無くなって、変形されて崩れることも無くなり、正常な溝形状のままに保持される。
【００４０】
その結果、Ｃ形止め輪(８)が止め輪溝(４)から外れ出すことが無くなり、ピストンピン(７)がピン孔(３)外へとび出して、ピストンピン(７)がシリンダライナに摺擦して焼き付いたり、ピストンピン(７)がシリンダライナを傷つけてブローバイガス量が異常増大したりするという前記従来技術の問題を、解消することが出来るのである。
【００４１】
［  効果ロ．  Ｃ形止め輪(８)の止め輪操作爪(10)の先端部からピン端面圧え部(11)を延出させるだけで、上記［効果イ］を達成するための構成を極めて簡単なものにして、その実施コストを安価にできる。  ］
【００４２】
上記［効果イ］を達成するための構成としては、左右の各Ｃ形止め輪(８)の左右一対の止め輪操作爪(10)(10)のうちの少なくとも一方の先端部からピン端面圧え部(11)を延出させるだけで良く、このピン端面圧え部(11)はＣ形止め輪(８)と一体に連続して形成できるので、独立部品として製造・組付けしなくとも済む分だけ、上記［効果イ］を達成するための構成を極めて簡単なものにして、その実施コストを安価にできる。
【００４３】
○  請求項２の発明．  図１または図３参照．
請求項２の発明は、上記請求項１の発明の［効果イ］・［効果ロ］に加えて、つぎの効果を奏する。
【００４４】
［  効果ハ．  Ｃ形止め輪(８)を止め輪溝(４)に組み付けた状態では、必ずどちらかの止め輪操作爪(10)がピストンピン(７)を正常に圧えるので、Ｃ形止め輪(８)の組み付け間違いを無くすことができる。  ］
【００４５】
請求項２の発明は、つぎの特徴構成を有する。
前記各Ｃ形止め輪(８)の左右一対の止め輪操作爪(10)(10)の両方の先端部分からそれぞれピン端面圧え部(11)(11)を延出させる。一方のピン端面圧え部(11)はＣ形止め輪(８)よりもピストンピン(７)側に偏倚させる。これに対して、他方のピン端面圧え部(11)はＣ形止め輪(８)よりもピストンピン(７)側とは反対側に偏倚させて構成した。
【００４６】
この特徴構成から、Ｃ形止め輪(８)を止め輪溝(４)に組み付けた状態では、左右一対の止め輪操作爪(10)(10)が互いに左右反対側に偏倚するので、必ずどちらかの止め輪操作爪(10)がピストンピン(７)を正常に圧える。
【００４７】
これにより、Ｃ形止め輪(８)の組み付け間違いを無くすことができ、このＣ形止め輪(８)の組み付け間違いから生じるＣ形止め輪(８)の止め輪溝(４)からの外れだしの問題も無くすことができる。
【００４８】
○  請求項３の発明．  図１参照．
請求項３の発明は、上記請求項１の発明の［効果イ］・［効果ロ］、および上記請求項２の発明の［効果ハ］に加えて、つぎの効果を奏する。
【００４９】
［  効果ニ．  ピン端面圧え部(11)のピン端面接当部(11a)(11a)は、その全長に亙ってピン端面(９)(９)に弾圧接当するので、長期に亙る使用においても塑性変形されにくくなり、耐久性に優れる。  ］
【００５０】
請求項３の発明は、つぎの特徴構成を有する。
前記左右一対の各ピン端面圧え部(11)(11)の先端の各ピン端面接当部(11a)(11a)は、前記ピストンピン(７)のピン端面(９)(９)の周方向に沿う形に形成する。各ピン端面接当部(11a)(11a)はその全長に亙ってピン端面(９)(９)に弾圧接当するように構成した。
【００５１】
この特徴構成から、ピン端面圧え部(11)のピン端面接当部(11a)(11a)は、その全長に亙ってピン端面(９)(９)に弾圧接当するので、長期に亙る使用においても塑性変形されにくくなり、耐久性に優れる。
【００５２】
○  請求項４の発明．  図４参照．
請求項４の発明は、上記請求項１の発明１の［効果イ］・［効果ロ］に加えて、つぎの効果を奏する。
【００５３】
［  効果ホ．  Ｃ形止め輪(８)を止め輪溝(４)に組み付けた状態では、必ずピン端面接当部(11b)の基端側部分(11c)または先端側部分(11d)がピストンピン(７)を正常に圧えるのでＣ形止め輪(８)の組み付け間違いを無くすことができる。  ］
【００５４】
請求項４の発明は、つぎの特徴構成を有する。
前記各Ｃ形止め輪(８)の左右一対の止め輪操作爪(10)(10)のうちの一方の先端部分から前記ピン端面圧え部(11)を延出させる。このピン端面圧え部(11)の先端のピン端面接当部(11b)は、前記ピストンピン(７)のピン端面(９)の周方向に沿う形に形成するとともに、前記Ｃ形止め輪(８)の軸心を含む仮想平面(13)に対して交差する形に形成する。
【００５５】
このピン端面接当部(11b)の基端側部分(11c)と先端側部分(11d)とは互いに、Ｃ形止め輪(８)よりもピストンピン(７)に近づく側と遠ざかる側との相反する方向に偏倚させて構成した。
【００５６】
この特徴構成から、Ｃ形止め輪(８)を止め輪溝(４)に組み付けた状態では、ピン端面接当部(11b)の基端側部分(11c)と先端側部分(11d)とが互いに左右反対側に偏倚するので、必ず基端側部分(11c)または先端側部分(11d)がピストンピン(７)を正常に圧える。
【００５７】
これにより、Ｃ形止め輪(８)の組み付け間違いを無くすことができ、このＣ形止め輪(８)の組み付け間違いから生じるＣ形止め輪(８)の止め輪溝(４)からの外れだしの問題も無くすことができる。
【発明を実施するための最良の形態】
【００５８】
以下、本発明のエンジン用ピストンのピストンピンの抜け止め装置の実施の形態を、図面に基づき説明する。
【００５９】
○  実施形態１．  請求項１・２・３・４の発明．  図１・図２参照．
図１・図２は本発明のエンジン用ピストンのピストンピンの抜け止め装置の実施形態１を示す。図１（Ａ）はピストンピン用のＣ形止め輪の正面図、図１（Ｂ）は図１（Ａ）のＢ−Ｂ線断面図、図１（Ｃ）は図１（Ａ）のＣ−Ｃ線断面図である。図１（Ｄ）はピンボス内のピストンピンをＣ形止め輪で抜け止めしている状態を示す要部の縦断正面図である。  図２（Ａ）はピストンにコンロッドをピストンピンで接続した状態の縦断正面図、図２（Ｂ）は図２（Ａ）の右側面図である。
【００６０】
図１・図２に示すように、エンジン用ピストン(１)の左右一対のピンボス(２)(２)の各ピン孔(３)(３)の外端寄り部分の孔内周面に沿って、断面半円形の止め輪溝(４)(４)を形成する。
【００６１】
両ピンボス(２)(２)間にコンロッド(５)の小端部(６)を挿入する。左右一対の両ピン孔(３)(３)およびコンロッド小端部(６)に亙ってピストンピン(７)を挿入する。左右の各止め輪溝(４)(４)に断面円形の各Ｃ形止め輪(８)(８)を内嵌する。両Ｃ形止め輪(８)(８)でピストンピン(７)の左右の両ピン端面(９)(９)を受け止めることにより、このピストンピン(７)を両ピン孔(３)(３)に対して抜け止めするように構成する。
【００６２】
各Ｃ形止め輪(８)のＣ形両端部から左右一対の各止め輪操作爪(10)(10)をそのＣ形内に突入する形に曲げ込んで構成した。
【００６３】
図１に示すように、前記各Ｃ形止め輪(８)の左右一対の止め輪操作爪(10)(10)の各先端部分からピン端面圧え部(11)(11)を延出させる。各Ｃ形止め輪(８)(８)の各ピン端面圧え部(11)(11)はＣ形止め輪(８)(８)よりもピストンピン(７)側に偏倚させて、ピストンピン(７)の左右の各ピン端面(９)(９)に弾圧接当させる。これとともに、各Ｃ形止め輪(８)(８)は各ピン端面(９)(９)との間に遊動許容隙間(12)(12)を空けて対面させて構成した。
【００６４】
一方のピン端面圧え部(11)はＣ形止め輪(８)よりもピストンピン(７)側に偏倚させる。これに対して、他方のピン端面圧え部(11)はＣ形止め輪(８)よりもピストンピン(７)側とは反対側に偏倚させて構成した。
【００６５】
前記左右一対の各ピン端面圧え部(11)(11)の先端の各ピン端面接当部(11a)(11a)は、前記ピストンピン(７)のピン端面(９)の周方向に沿う形に形成する。各ピン端面接当部(11a)(11a)はその全長に亙ってピン端面(９)に弾圧接当するように構成したものである。
【００６６】
○  実施形態２．  請求項１・２の発明．  図３参照．
この実施形態２は、上記実施形態１の構成において、その一部を次のように変更したものである。
【００６７】
図３は本発明のエンジン用ピストンのピストンピンの抜け止め装置の実施形態２を示す。図３（Ａ）はピストンピン用のＣ形止め輪の正面図、図３（Ｂ）は図３（Ａ）のＢ−Ｂ線断面図、図３（Ｃ）は図３（Ａ）のＣ−Ｃ線断面図である。図３（Ｄ）はピンボス内のピストンピンをＣ形止め輪で抜け止めしている状態を示す要部の縦断正面図である。
【００６８】
この図３に示す実施形態２は、図１に示す上記実施形態１の構成において、この実施形態１の構成中のピン端面接当部(11a)を省略したものである。
【００６９】
○  実施形態３．  請求項１・４の発明．  図４参照．
この実施形態３は、上記実施形態１の構成において、その一部を次のように変更したものである。
【００７０】
図４は本発明のエンジン用ピストンのピストンピンの抜け止め装置の実施形態３を示す。図４（Ａ）はピストンピン用のＣ形止め輪の正面図、図４（Ｂ）は図４（Ａ）のＢ−Ｂ線断面図、図４（Ｃ）は図４（Ａ）のＣ−Ｃ線断面図である。図４（Ｄ）はピンボス内のピストンピンをＣ形止め輪で抜け止めしている状態を示す要部の縦断正面図である。
【００７１】
前記各Ｃ形止め輪(８)の左右一対の止め輪操作爪(10)(10)のうちの一方の先端部分からは前記ピン端面圧え部(11)を延出させる。その他方の止め輪操作爪(10)の先端部分からは前記ピン端面圧え部(11)を延出させないでおく。
【００７２】
上記ピン端面圧え部(11)の先端のピン端面接当部(11b)は、前記ピストンピン(７)のピン端面(９)の周方向に沿う形に形成するとともに、前記Ｃ形止め輪(８)の軸心を含む仮想平面(13)に対して交差する形に形成する。
【００７３】
このピン端面接当部(11b)の基端側部分(11c)と先端側部分(11d)とは互いに、Ｃ形止め輪(８)よりもピストンピン(７)に近づく側と遠ざかる側との相反する方向に偏倚させて構成したものである。
【産業上の利用可能性】
【００７４】
本発明は、エンジン用ピストンのピンボスのピン孔に挿入されたピストンピンをＣ形止め輪で抜け止めする、ピストンピンの抜け止め装置として利用される。
【図面の簡単な説明】
【００７５】
【図１】図１・図２は本発明のエンジン用ピストンのピストンピンの抜け止め装置の実施形態１を示す。図１（Ａ）はピストンピン用のＣ形止め輪の正面図、図１（Ｂ）は図１（Ａ）のＢ−Ｂ線断面図、図１（Ｃ）は図１（Ａ）のＣ−Ｃ線断面図である。図１（Ｄ）はピンボス内のピストンピンをＣ形止め輪で抜け止めしている状態を示す要部の縦断正面図である。
【図２】図２（Ａ）はピストンにコンロッドをピストンピンで接続した状態の縦断正面図、図２（Ｂ）は図２（Ａ）の右側面図である。
【００７６】
【図３】図３は本発明のエンジン用ピストンのピストンピンの抜け止め装置の実施形態２を示す。図３（Ａ）はピストンピン用のＣ形止め輪の正面図、図３（Ｂ）は図３（Ａ）のＢ−Ｂ線断面図、図３（Ｃ）は図３（Ａ）のＣ−Ｃ線断面図である。図３（Ｄ）はピンボス内のピストンピンをＣ形止め輪で抜け止めしている状態を示す要部の縦断正面図である。
【図４】図４は本発明のエンジン用ピストンのピストンピンの抜け止め装置の実施形態３を示す。図４（Ａ）はピストンピン用のＣ形止め輪の正面図、図４（Ｂ）は図４（Ａ）のＢ−Ｂ線断面図、図４（Ｃ）は図４（Ａ）のＣ−Ｃ線断面図である。図４（Ｄ）はピンボス内のピストンピンをＣ形止め輪で抜け止めしている状態を示す要部の縦断正面図である。
【００７７】
【図５】図５は従来技術のエンジン用ピストンのピストンピンの抜け止め装置を示す。図５（Ａ）はピストンピン用のＣ形止め輪の正面図、図５（Ｂ）は図５（Ａ）のＢ−Ｂ線断面図、図５（Ｃ）は図５（Ａ）のＣ−Ｃ線断面図である。図５（Ｄ）はピンボス内のピストンピンをＣ形止め輪で抜け止めしている状態を示す要部の縦断正面図である。
【符号の説明】
【００７８】
１…エンジン用ピストン、  ２…ピンボス、  ３…ピン孔、  ４…止め輪溝、  ５…コンロッド、  ６…小端部、  ７…ピストンピン、  ８…Ｃ形止め輪、  ９…ピン端面、  １０…止め輪操作爪、  １１…ピン端面圧え部、  １１ａ…ピン端面接当部、  １１ｂ…ピン端面接当部、  １１ｃ…基端側部分、  １１ｄ…先端側部分、  １２…遊動許容隙間、  １３…仮想平面。
【図１】
2005106085.tif 000003
【図２】
2005106085.tif 000004
【図３】
2005106085.tif 000005
【図４】
2005106085.tif 000006
【図５】
2005106085.tif 000007